(57)【要約】      （修正有）【課題】可動ディスクと固定ディスクとの摺動性を良好にできるシングルレバー式の湯水混合水栓を提供する。【解決手段】固定ディスク４と、可動ディスクを固定ディスク４の上面４ａに摺動させるシングルレバーとを備え、このシングルレバー７の回動により、凹部が給水用貫通孔１および給湯用貫通孔２を閉塞する閉塞位置と、給水用貫通孔１、混合水用貫通孔３および給湯用貫通孔２に凹部が跨がる開放位置と、給水用貫通孔１および混合水用貫通孔３に凹部が跨がる開放位置と、給湯用貫通孔２および混合水用貫通孔３に凹部が跨がる開放位置とのいずれかに、可動ディスクを摺動させるように構成され、更に、固定ディスク４の上面４ａに、固定ディスク４の上面４ａおよび可動ディスク６の下面６ａ間の接触面積を小さくするための複数の孔１６を形成する。【選択図】図１
2005282658.tif 000002
【特許請求の範囲】
【請求項１】
上流側の給水路に連通する給水用貫通孔、上流側の給湯路に連通する給湯用貫通孔および下流側の湯水混合水路に連通する混合水用貫通孔が形成された固定ディスクと、この固定ディスクの上面に水密状態で接触しながら摺動する下面を有し、この下面に凹部が形成された可動ディスクと、上下方向、左右方向の回動により可動ディスクを固定ディスクの上面に摺動させるシングルレバーとを備え、このシングルレバーの回動により、前記凹部が前記給水用貫通孔および給湯用貫通孔を閉塞する閉塞位置と、前記給水用貫通孔、混合水用貫通孔および前記給湯用貫通孔に前記凹部が跨がる開放位置と、前記給水用貫通孔および混合水用貫通孔に前記凹部が跨がる開放位置と、前記給湯用貫通孔および混合水用貫通孔に前記凹部が跨がる開放位置とのいずれかに、可動ディスクを摺動させるように構成され、更に、固定ディスクの上面に、固定ディスクの上面および可動ディスクの下面間の接触面積を小さくするための複数の孔を形成してあることを特徴とするシングルレバー式の湯水混合水栓。
【発明の詳細な説明】
【技術分野】
【０００１】
この発明は、シングルレバー式の湯水混合水栓に関するものである。
【背景技術】
【０００２】
本願出願人は、図５（Ａ）において、実線で示すように操作部材５１を下方向に回動することにより、可動ディスク５２の下面の中央部に形成された凹部５３を固定ディスク５４に設けた給水用貫通孔５５の直上に位置させて給水用貫通孔５５を閉塞し、それによって止水状態にする一方、二点鎖線で示す操作部材５１のようにこれを上方向に回動することにより、前記凹部５３を、固定ディスク５４に設けた排水用貫通孔５６および前記給水用貫通孔５５に跨がる開放位置（吐水位置）に位置させて吐水の流量を調節するように構成されたシングルレバー式の単水栓５７を提案している（特願２００２−３３６１３２号、ただし、いわゆる公知公用ではない。）。前記可動ディスク５２は固定ディスク５４の上面に水密状態で、固定ディスク５４の上面と可動ディスク５２の下面が接触しながら摺動するよう設けられており、固定ディスク５４に対する可動ディスク５２の摺動性を良くして操作部材５１の回動操作を行い易くするために前記両面にグリースが塗布されている。
【０００３】
この単水栓５７では、図５（Ｂ）に示すように、可動ディスク５２の下面の前記凹部５３のまわりに複数個の溝４０〜４３を設けており、それによって、可動ディスク５２の下面と固定ディスク５４の上面の接触面積を小さくすることができるとともに、潤滑剤としてのグリースが溝４０〜４３に留まり続けることで、前記下面と上面が偏磨耗によって固着し、操作レバー５１の動きが硬くなり、最悪の場合、操作レバー５１が動かなくなるという問題点を回避している。
【発明の開示】
【発明が解決しようとする課題】
【０００４】
ところで、図４に示すようなシングルレバー式の湯水混合水栓Ｄでも、固定ディスクに対する可動ディスクの摺動性を良くして操作部材の回動操作を行い易くするために固定ディスクと可動ディスクの両面にグリースが塗布されている。しかし、前記単水栓５７では解決されている問題点がシングルレバー式の湯水混合水栓Ｄではそのままにされていた。
【０００５】
この発明は、上述の事柄に留意してなされたもので、その目的は、可動ディスクの下面と固定ディスクの上面の摺動性を良好にできるシングルレバー式の湯水混合水栓を提供することである。
【課題を解決するための手段】
【０００６】
上記目的を達成するために、この発明のシングルレバー式の湯水混合水栓は、上流側の給水路に連通する給水用貫通孔、上流側の給湯路に連通する給湯用貫通孔および下流側の湯水混合水路に連通する混合水用貫通孔が形成された固定ディスクと、この固定ディスクの上面に水密状態で接触しながら摺動する下面を有し、この下面に凹部が形成された可動ディスクと、上下方向、左右方向の回動により可動ディスクを固定ディスクの上面に摺動させるシングルレバーとを備え、このシングルレバーの回動により、前記凹部が前記給水用貫通孔および給湯用貫通孔を閉塞する閉塞位置と、前記給水用貫通孔、混合水用貫通孔および前記給湯用貫通孔に前記凹部が跨がる開放位置と、前記給水用貫通孔および混合水用貫通孔に前記凹部が跨がる開放位置と、前記給湯用貫通孔および混合水用貫通孔に前記凹部が跨がる開放位置とのいずれかに、可動ディスクを摺動させるように構成され、更に、固定ディスクの上面に、固定ディスクの上面および可動ディスクの下面間の接触面積を小さくするための複数の孔を形成してある。
【発明の効果】
【０００７】
この発明では、シングルレバー式の湯水混合水栓において、固定ディスクの上面および可動ディスクの下面間の接触面積を小さくするための複数の孔を固定ディスクの上面に形成したので、固定ディスクの上面および可動ディスクの下面に塗布するグリースの量を減らしても潤滑剤としてのグリースが前記複数の孔に貯留し続けることで、固定ディスクの上面および可動ディスクの下面が偏磨耗によって固着し、シングルレバーの動きが硬くなり、最悪の場合、シングルレバーが動かなくなるという問題点を回避できる。
【発明を実施するための最良の形態】
【０００８】
以下、この発明の実施形態を、図を参照しながら説明する。なお、それによってこの発明は限定されるものではない。
【０００９】
図１〜図４は、この発明の一実施形態を示す。
図１〜図４において、シングルレバー式の湯水混合水栓Ｄは、上流側の給水路Ａに連通する給水用貫通孔１、上流側の給湯路Ｂに連通する給湯用貫通孔２および下流側の湯水混合水路Ｃに連通する混合水用貫通孔３が形成されたセラミック製の固定ディスク４と、この固定ディスク４の上面４ａに水密状態で接触しながら摺動する下面６ａを有し、この下面６ａに凹部５が形成されたセラミック製の可動ディスク６と、上下方向、左右方向の回動により可動ディスク６を固定ディスク４の上面４ａに摺動させるシングルレバー７とを備えている。８は、上ケース８ａ、下ケース８ａｂよりなるケース体で、湯水混合水栓Ｄの筒状の胴１３に内蔵されている。そして、そして、ケース体８には、固定ディスク４と、固定ディスク４に水密状態に摺動自在に上載された可動ディスク６と、この可動ディスク６の上方に設けられた合成樹脂材よりなるガイド９とが内蔵され、前記シングルレバー７は、ガイド９に回動自在でかつ傾動可能に枢支されケース体８の上部から突出する栓棒１０に、一対のアダプタ１１，１２、ねじ１３を介して固定されている。シングルレバー７は、レバー本体７ａと補助部材７ｂとからなる。また、ケース体８は、胴１３から取外し交換可能に構成されている。
【００１０】
そして、シングルレバー７の操作によってケース体８内の可動ディスク６の回動および平行移動を自在に行え、湯水混合水栓Ｄは、シングルレバー７の傾動操作によって混合水の吐出流量を適宜に調節でき、その回動操作によって湯水の混合割合を適宜に調節できるように構成にされている。すなわち、シングルレバー７の回動により、前記凹部５が前記給水用貫通孔１および給湯用貫通孔２を閉塞する閉塞位置と、前記給水用貫通孔１、混合水用貫通孔３および前記給湯用貫通孔２に前記凹部５が跨がる開放位置と、前記給水用貫通孔１および混合水用貫通孔３に前記凹部５が跨がる開放位置と、前記給湯用貫通孔２および混合水用貫通孔３に前記凹部５が跨がる開放位置とのいずれかに可動ディスク４を摺動させるように構成されている。
【００１１】
１６は、固定ディスク４の上面４ａに形成された、底部１６ａを有する複数の孔で、固定ディスク４の上面４ａおよび可動ディスク６の下面６ａ間の接触面積を小さくする機能と、固定ディスク４に対する可動ディスク６の摺動性を良くしてシングルレバー７の回動操作を行い易くするために、予め前記両面４ａ，６ａに塗布されているグリースを貯留し続ける機能とを持っている。この孔１６は、プレス加工等の公知の加工手段で形成可能であり、小孔が好ましい。
すなわち、前記孔１６は、例えば横断面が円形で、その直径としては、０．３ｍｍ程度が好ましい。孔１６の直径が０．３ｍｍより小さいとグリースの貯留量が比較的少なくなる。また、孔１６の直径が０．３ｍｍより大きいと孔１６に貯留しているグリースが直径が０．３ｍｍの場合に比して速く流出するようになる。
また、孔１６の深さとしては、０．５ｍｍ〜１ｍｍが好ましい。孔１６の深さが０．５ｍｍより小さいとグリースの貯留量が比較的少なくなる。また、孔１６の深さが１ｍｍより大きいとグリースを均一に塗布した際、孔１６の奥まで行き届かないおそれがある。
また、孔１６を設ける位置は、給水用貫通孔１、混合水用貫通孔３および前記給湯用貫通孔２以外の上面４ａであれば良く、また、孔１６の数は、孔１６の直径および孔１６の深さを考慮してできるだけ多いほうが好ましい。要するに、孔１６を設ける位置や孔１６の数は適宜設定されうる。この実施形態の複数個の小孔１６は、可動ディスク６との円形の摺動領域内で、外周に沿って等しい間隔で設けられている。なお、前記孔１６の形状として、この実施形態で用いたような円形の孔の代わりに長孔を用いてもよい。
【００１２】
而して、固定ディスク４の上面４ａに複数の孔１６を形成したので、固定ディスク４の上面４ａおよび可動ディスク６の下面６ａ間の接触面積を小さくすることができるとともに、潤滑剤としてのグリースが複数の孔１６に留まり続けることで、前記下面６ａと上面４ａが偏磨耗によって固着し、シングルレバー７の動きが硬くなり、最悪の場合、シングルレバー７が動かなくなるという問題点を回避できる。
【図面の簡単な説明】
【００１３】
【図１】（Ａ）は、この発明の一実施形態で用いた固定ディスクの上面図である。（Ｂ）は、図１（Ａ）におけるａ−ａ線断面図である。（Ｃ）は、図１（Ａ）におけるｂ−ｂ線断面図である。（Ｄ）は、上記実施形態で用いた固定ディスクの底面図である。
【図２】上記実施形態で用いる可動ディスクの底面図である。
【図３】上記実施形態を示す縦断面図である。
【図４】上記実施形態を示す分解斜視図である。
【図５】（Ａ）は、シングルレバー式の単水栓を示す縦断面図である。（Ｂ）は、シングルレバー式の単水栓で用いる可動ディスクを示す底面図である。
【符号の説明】
【００１４】
Ａ      給水路
１      給水用貫通孔
Ｂ      給湯路
２      給湯用貫通孔
Ｃ      湯水混合水路
３      混合水用貫通孔
４      固定ディスク
４ａ    上面
６      可動ディスク  
６ａ    下面
５      凹部
７      シングルレバー
１６    複数の孔
【図１】
2005282658.tif 000003
【図２】
2005282658.tif 000004
【図３】
2005282658.tif 000005
【図４】
2005282658.tif 000006
【図５】
2005282658.tif 000007